(57)【要約】【課題】高い防滑性と耐摩耗性とを両立した靴底を提供する【解決手段】足裏の踵に対応する後足部と、前記足裏の土踏まずに対応する中足部と、前記足裏の土踏まずより爪先側の部分に対応する前足部と、からなる靴底であって、前記前足部は、該前足部の幅方向中間域を始点として前記中足部側から前記靴底の最前端側に傾斜して延びる傾斜溝を、前記幅方向中間域を挟む一方側及び他方側に各々少なくとも１本有する。【選択図】図３
2019025076.tif 000002
【特許請求の範囲】
【請求項１】
足裏の踵に対応する後足部と、
前記足裏の土踏まずに対応する中足部と、
前記足裏の土踏まずより爪先側の部分に対応する前足部と、
からなる靴底であって、
前記前足部は、該前足部の幅方向中間域を始点として前記中足部側から前記靴底の最前端側に傾斜して延びる傾斜溝を、前記幅方向中間域を挟む一方側及び他方側に各々少なくとも１本有する、靴底。
【請求項２】
前記傾斜溝を、前記前足部の幅方向中間域を挟む、前記幅方向の一方側及び他方側に各々２本以上有する、請求項１に記載の靴底。
【請求項３】
前記傾斜溝は、少なくとも一部が湾曲して延びる、請求項１又は２に記載の靴底。
【請求項４】
前記傾斜溝は、前記始点側から延びる側へ溝幅が漸増する、請求項１〜３のいずれか一項に記載の靴底。
【請求項５】
前記前足部は、前記傾斜溝の少なくとも１本と交差する、細溝を１本以上有する、請求項１〜４のいずれか一項に記載の靴底。
【請求項６】
足裏の踵に対応する後足部と、
前記足裏の土踏まずに対応する中足部と、
前記足裏の土踏まずより爪先側の部分に対応する前足部と、
からなる靴底であって、
前記後足部は、前記中足部から前記靴底の最後端の法線上に延びる縦溝を始点として、前記中足部側から前記靴底の最後端側に傾斜して延びる傾斜溝を、前記縦溝を挟む一方側及び他方側に各々少なくとも１本は有する、靴底。
【請求項７】
前記傾斜溝は、前記後足部の周縁にて開口する、請求項６に記載の靴底。
【請求項８】
前記傾斜溝は、前記後足部の周縁の法線方向へ開口する、請求項６又は７に記載の靴底。
【請求項９】
前記傾斜溝を、前記縦溝を挟む、前記幅方向一方側及び他方側に各々２本以上有する、請求項６〜８のいずれか一項に記載の靴底。
【請求項１０】
前記傾斜溝は、少なくとも一部が湾曲して延びる、請求項６〜９のいずれか一項に記載の靴底。
【請求項１１】
前記傾斜溝は、前記始点側から延びる側へ溝幅が漸増する、請求項６〜１０のいずれか一項に記載の靴底。
【請求項１２】
前記後足部は、前記傾斜溝の少なくとも１本と交差する、細溝を１本以上有する、請求項６〜１１のいずれか一項に記載の靴底。
【請求項１３】
足裏の踵に対応する後足部と、
前記足裏の土踏まずに対応する中足部と、
前記足裏の土踏まずより爪先側の部分に対応する前足部と、
からなる靴底であって、
前記前足部は、該前足部の幅方向中間域を始点として前記中足部側から前記靴底の最前端側に傾斜して延びる傾斜溝を、前記幅方向中間域を挟む一方側及び他方側に各々少なくとも１本有し、
前記後足部は、前記中足部から前記靴底の最後端の法線上に延びる縦溝を始点として、前中足部側から前記靴底の最後端側に傾斜して延びる傾斜溝を、前記縦溝を挟む一方側及び他方側に各々少なくとも１本は有する、靴底。
【請求項１４】
前記前方傾斜溝を、前記前足部の幅方向中間域を挟む、前記幅方向の一方側及び他方側に各々２本以上有する、請求項１３に記載の靴底。
【請求項１５】
前記前方傾斜溝は、少なくとも一部が湾曲して延びる、請求項１３又は１４に記載の靴底。
【請求項１６】
前記前方傾斜溝は、前記始点側から延びる側へ溝幅が漸増する、請求項１３〜１５のいずれか一項に記載の靴底。
【請求項１７】
前記前足部は、前記傾斜溝の少なくとも１本と交差する、細溝を１本以上有する、請求項１３〜１６のいずれか一項に記載の靴底。
【請求項１８】
前記後方傾斜溝は、前記後足部の周縁にて開口する、請求項１３〜１７のいずれか一項に記載の靴底。
【請求項１９】
前記後方傾斜溝は、前記後足部の周縁の法線方向へ開口する、請求項１３〜１８のいずれか一項に記載の靴底。
【請求項２０】
前記後方傾斜溝を、前記縦溝を挟む、前記幅方向一方側及び他方側に各々２本以上有する、請求項１３〜１９のいずれか一項に記載の靴底。
【請求項２１】
前記後方傾斜溝は、少なくとも一部が湾曲して延びる、請求項１３〜２０のいずれか一項に記載の靴底。
【請求項２２】
前記後方傾斜溝は、前記始点側から延びる側へ溝幅が漸増する、請求項１３〜２１のいずれか一項に記載の靴底。
【請求項２３】
前記後足部は、前記後方傾斜溝の少なくとも１本と交差する、細溝を１本以上有する、請求項１３〜２２のいずれか一項に記載の靴底。
【発明の詳細な説明】
【技術分野】
【０００１】
この発明は、靴の底面を構成する靴底、特に排水に寄与する溝を有する溝底に関する。
【背景技術】
【０００２】
従来、靴を履いて道を歩行する際、様々な表面状態の道において安定した歩行を実現するには、特に靴が滑るのを抑制すること、即ち防滑性を靴底に付与することが重要になる。そのために、道の表面（以下、路面という）と当接する靴底の材質や構造に工夫がなされている。
【０００３】
例えば、特許文献１には、履物の底に筋状の凹凸を形成し、さらに、靴底の素材に、スプリング式硬さが２５〜４０であるポリノルボーネンゴムを主成分とする加硫ゴム体を用いることによって、防滑性及び耐摩耗性を確保することが示されている。
【先行技術文献】
【特許文献】
【０００４】
【特許文献１】特開平６−１３３８０４号公報
【発明の概要】
【発明が解決しようとする課題】
【０００５】
特許文献１に記載の履物は、防滑性を有し、乾燥した路面の歩行における滑りは抑制されているが、降雨時などの濡れた路面を歩行する際に、十分な防滑性が得られないことが問題であった。
そこで、本発明の目的は、耐摩耗性を損なうことなく、高い防滑性を備える靴底を提供することにある。
【課題を解決するための手段】
【０００６】
発明者らは、前記課題を解決する手段について鋭意究明したところ、濡れた路面で靴が滑るのは、接地した際の靴底と路面との間に存在する水膜が原因であり、この水膜を靴底接地時に靴底外側に向けて排出することが、濡れた路面における防滑性の向上に有効であることを知見した。さらに、上記した水膜の除去について、靴底に、歩行時の足裏動作及び靴底の内から外への水流に適したパターンで溝を形成することによって、優れた防滑性及び耐摩耗性を実現できることを見出し、本発明を完成するに至った。
【０００７】
本発明の要旨は、以下のとおりである。
（１）足裏の踵に対応する後足部と、
前記足裏の土踏まずに対応する中足部と、
前記足裏の土踏まずより爪先側の部分に対応する前足部と、
からなる靴底であって、
前記前足部は、該前足部の幅方向中間域を始点として前記中足部側から前記靴底の最前端側に傾斜して延びる傾斜溝を、前記幅方向中間域を挟む一方側及び他方側に各々少なくとも１本有する、靴底。
【０００８】
（２）前記傾斜溝を、前記前足部の幅方向中間域を挟む、前記幅方向の一方側及び他方側に各々２本以上有する、上記（１）に記載の靴底。
【０００９】
（３）前記傾斜溝は、少なくとも一部が湾曲して延びる、上記（１）又は（２）に記載の靴底。
【００１０】
（４）前記傾斜溝は、前記始点側から延びる側へ溝幅が漸増する、上記（１）〜（３）のいずれか一に記載の靴底。
【００１１】
（５）前記前足部は、前記傾斜溝の少なくとも１本と交差する、細溝を１本以上有する、上記（１）〜（４）のいずれか一に記載の靴底。
【００１２】
（６）足裏の踵に対応する後足部と、
前記足裏の土踏まずに対応する中足部と、
前記足裏の土踏まずより爪先側の部分に対応する前足部と、
からなる靴底であって、
前記後足部は、前記中足部から前記靴底の最後端の法線上に延びる縦溝を始点として、前記中足部側から前記靴底の最後端側に傾斜して延びる傾斜溝を、前記縦溝を挟む一方側及び他方側に各々少なくとも１本は有する、靴底。
【００１３】
（７）前記傾斜溝は、前記後足部の周縁にて開口する、上記（６）に記載の靴底。
【００１４】
（８）前記傾斜溝は、前記後足部の周縁の法線方向へ開口する、上記（６）又は（７）に記載の靴底。
【００１５】
（９）前記傾斜溝を、前記縦溝を挟む、前記幅方向一方側及び他方側に各々２本以上有する、上記（６）〜（８）のいずれか一に記載の靴底。
【００１６】
（１０）前記傾斜溝は、少なくとも一部が湾曲して延びる、上記（６）〜（９）のいずれか一に記載の靴底。
【００１７】
（１１）前記傾斜溝は、前記始点側から延びる側へ溝幅が漸増する、上記（６）〜（１０）のいずれか一に記載の靴底。
【００１８】
（１２）前記後足部は、前記傾斜溝の少なくとも１本と交差する、細溝を１本以上有する、上記（６）〜（１１）のいずれか一に記載の靴底。
【００１９】
（１３）足裏の踵に対応する後足部と、
前記足裏の土踏まずに対応する中足部と、
前記足裏の土踏まずより爪先側の部分に対応する前足部と、
からなる靴底であって、
前記前足部は、該前足部の幅方向中間域を始点として前記中足部側から前記靴底の最前端側に傾斜して延びる傾斜溝を、前記幅方向中間域を挟む一方側及び他方側に各々少なくとも１本有し、
前記後足部は、前記中足部から前記靴底の最後端の法線上に延びる縦溝を始点として、前中足部側から前記靴底の最後端側に傾斜して延びる傾斜溝を、前記縦溝を挟む一方側及び他方側に各々少なくとも１本は有する、靴底。
【００２０】
（１４）前記前方傾斜溝を、前記前足部の幅方向中間域を挟む、前記幅方向の一方側及び他方側に各々２本以上有する、上記（１３）に記載の靴底。
【００２１】
（１５）前記前方傾斜溝は、少なくとも一部が湾曲して延びる、上記（１３）又は（１４）に記載の靴底。
【００２２】
（１６）前記前方傾斜溝は、前記始点側から延びる側へ溝幅が漸増する、上記（１３）〜（１５）のいずれか一に記載の靴底。
【００２３】
（１７）前記前足部は、前記傾斜溝の少なくとも１本と交差する、細溝を１本以上有する、上記（１３）〜（１６）のいずれか一に記載の靴底。
【００２４】
（１８）前記後方傾斜溝は、前記後足部の周縁にて開口する、上記（１３）〜（１７）のいずれか一に記載の靴底。
【００２５】
（１９）前記後方傾斜溝は、前記後足部の周縁の法線方向へ開口する、上記（１３）〜（１８）のいずれか一に記載の靴底。
【００２６】
（２０）前記後方傾斜溝を、前記縦溝を挟む、前記幅方向一方側及び他方側に各々２本以上有する、上記（１３）〜（１９）のいずれか一に記載の靴底。
【００２７】
（２１）前記後方傾斜溝は、少なくとも一部が湾曲して延びる、上記（１３）〜（２０）のいずれか一に記載の靴底。
【００２８】
（２２）前記後方傾斜溝は、前記始点側から延びる側へ溝幅が漸増する、上記（１３）〜（２１）のいずれか一に記載の靴底。
【００２９】
（２３）前記後足部は、前記後方傾斜溝の少なくとも１本と交差する、細溝を１本以上有する、上記（１３）〜（２２）のいずれか一項に記載の靴底。
【発明の効果】
【００３０】
本発明により、高い防滑性と耐摩耗性とを両立した靴底を提供することができる。
【図面の簡単な説明】
【００３１】
【図１】本発明の第１の実施形態に係る靴底を示す図である。
【図２】本発明の第２の実施形態に係る靴底を示す図である。
【図３】本発明の第３の実施形態に係る靴底を示す図である。
【図４】比較例に係る靴底を示す図である。
【発明を実施するための形態】
【００３２】
以下、図面を参照しながら本発明の靴底を、詳細に説明する。一般に、靴は足の表側を被覆するアッパー部と、このアッパー部を支え、かつ足裏と接触するアウトソール部から形成され、アウトソール部のうち、歩行時に路面と対向する部分に靴底を有する。この靴底について、次に示す第１〜第３の形態の各々を詳しく説明する。まず、図１は、本発明の第１の実施形態に係る靴底を示す図である。
なお、図１は右足に適用される靴の靴底を示すが、右足に適用される靴底と左足に適用される靴底とは線対称の関係にあるので、右足用の靴底を典型例として、以下説明する。このことは、図２及び図３についても同様である。
【００３３】
[第１の形態]
図１において、靴底１は、足裏の踵に対応する後足部２と、足裏の土踏まずに対応する中足部３と、足裏の土踏まずより爪先側の部分に対応する前足部４とからなる。ここで、足裏の踵に対応する後足部２とは、靴を履いた際に、足裏の踵が収まる部位の靴底である。同様に、足裏の土踏まずに対応する中足部３とは、靴を履いた際に、足裏の土踏まずが収まる部位の靴底部分であり、足裏の土踏まずより爪先側の部分に対応する前足部４とは、上記の後足部２及び中足部３を除く部分である。
【００３４】
ここで、図１において、靴底１は、足裏の爪先側に対応する側を前方、足裏の踵側に対応する側を後方とするとき、靴底１の最後端ｈの法線Ｎ方向における、最後端ｈと最前端ｔとの距離を全長Ｌとすると、前足部４は、法線Ｎ方向において、最前端ｔから、長さｌ１の位置にある点ｐ１と同最前端ｔから長さｌ２の位置にある点ｐ２とを結ぶ線分ｂ１よりも最前端ｔ側の領域である。前足部４を規定する、長さｌ１は、全長Ｌの２０％〜５０％であり、長さｌ２は、全長Ｌの４０％〜７０％とすることが好ましい。
【００３５】
第１の形態に係る靴底１において、前足部４は、前足部４の幅方向中間域を始点として中足部３側から最前端ｔ側に傾斜して延びる前方傾斜溝を、該幅方向中間域を挟む一方側及び他方側に各々少なくとも１本有している。即ち、図１の例では、幅方向中間域Ｍを挟む一方側（装着内側）に、前方傾斜溝５ａ〜５ｃを３本、同他方側（装着外側）に、前方傾斜溝６ａ〜６ｃを３本有している。
なお、靴底１の幅方向とは、最後端ｈの法線Ｎと直交する方向である。そして、前足部４の幅方向中間域Ｍとは、前方傾斜溝の始点を通る、靴底１の一端から他端まで幅方向に延びる線分の幅方向中心を含む領域である。図１に示す例における、前足部４の幅方向中間域Ｍは、例えば、前方傾斜溝５ａの始点を通る、靴底１の一端から他端まで幅方向に延びる線分q１の幅方向中心ｍ１を中心とする幅Ｄ２の領域である。この幅Ｄ２は、該幅方向中心ｍ１を中心とする、線分ｑ１の幅Ｄ１の５０％以下の領域である。さらに、前方傾斜溝５ｂ、５ｃ及び前方傾斜溝６a〜６ｃにおいても、同様に、上記線分の幅方向中心を中心とする該線分の幅の５０％以下の領域を、各前方傾斜溝における、前足部４の幅方向中間域Ｍと称する。  なお、好適には、幅Ｄ２は、幅Ｄ１の３０％以下の領域であり、前方傾斜溝５ｂ、５ｃ及び前方傾斜溝６ａ〜６ｃにおいても同様である。
【００３６】
前方傾斜溝５ａ〜５ｃは、前足部４の幅方向中間域Ｍを始点として、同幅方向中間域Ｍを挟む一方側（装着内側）に向かって延び、靴底１の周縁１ａの手前を終端とする。さらに、前方傾斜溝５ａ〜５ｃは、中足部３側から最前端ｔ側に傾斜し、法線Ｎ方向に対して鋭角をなしている。該傾斜角度は、各前方傾斜溝５ａ〜５ｃの溝幅の中心に沿って延びる軸線の、当該溝幅方向中心点における接線が法線Ｎ方向となす挟角である。例えば、前方傾斜溝５ａでは、図１に示すとおり、該前方傾斜溝５ａの軸線ｃ１の、該溝の始点から終端までの幅方向中心点ｍ２における接線ｓ１と、法線Ｎとがなす角度θ１を、２０°〜７０°とすることが好ましい。前方傾斜溝５ｂ及び５ｃにおいても、同様に規定する角度を２０°〜７０°とすることが好ましい。
さらに、前方傾斜溝５ａ〜５ｃ相互間においては、上記のとおり規定する角度が、前方傾斜溝５ａ≦前方傾斜溝５ｂ≦前方傾斜溝５ｃの関係を満足することが好適である。
【００３７】
さらに、前方傾斜溝６ａ〜６ｃは、前足部４の幅方向中間域Ｍを始点として、同幅方向中間域Ｍを挟む他方側（装着外側）に向かって延び、靴底１の周縁１ａの手前を終端とする。さらに、前方傾斜溝６ａ〜６ｃは、中足部３側から最前端ｔ側に傾斜し、法線Ｎ方向に対して鋭角をなしている。該傾斜角度は、上記の前方傾斜溝５ａ〜５ｃと同様の手法にて規定され、各前方傾斜溝６ａ〜６ｃの溝幅の中心に沿って延びる軸線の、当該溝幅方向中心点における接線が法線Ｎ方向となる挟角である。前方傾斜溝６ａ〜６ｃにおいて、上記規定による角度は、１０°〜６０°とすることが好ましい。
さらに、前方傾斜溝６ａ〜６ｃ相互間においては、上記のとおり規定する角度が、前方傾斜溝６ａ≦前方傾斜溝６ｂ≦前方傾斜溝６ｃの関係を満足することが好適である。
なお、図示例では、幅方向中間域Ｍを挟む他方側（装着外側）に、線分ｂ１から装着外側に向かって、前方傾斜溝６ａ〜６ｃと同様の傾きで延び、周縁１ａの手前にて終端している、前方傾斜溝６ｄ及び６ｅをさらに有している。
【００３８】
上記構成の靴底１によれば、排水性が向上し、高い防滑性を実現することができる。即ち、該靴底１を適用した靴にて濡れた路面を歩行すると、該歩行の動作に伴い、前足部４は最後端ｈから最前端ｔ側に向かって路面に接地する際、路面の水分は、前方傾斜溝５ａ〜５ｃ及び６ａ〜６ｃ（図示例では前方傾斜溝６ｄ及び６ｅを含む）に取り込まれ、斜め前方への傾斜に沿って流れ、靴底１における前足部４の周縁側の開口にて排出される。
【００３９】
本実施形態では、前方傾斜溝５ａ〜５ｃ及び前方傾斜溝６ａ〜６ｅが靴底１の周縁１ａに開口することなく手前に終端を有するが、周縁１ａまで延びて開口してもよいのは勿論である。なお、各溝の終端部と周縁１ａとの幅方向離隔長さｄ１は、任意の長さでよいが、平均で１０ｍｍ以下とすることが好ましい。
【００４０】
また、前方傾斜溝５ａ〜５ｃ及び前方傾斜溝６ａ〜６ｃは、直線状又は曲線状等の任意の形状とすることができるが、溝の始点側に向かって、法線Ｎ方向に収束するように湾曲して延びることが好ましい。図示例では、前方傾斜溝５ａ〜５ｃ及び６ａ〜６ｃは、幅方向中間域Ｍにおいて、法線Ｎ方向に沿う向きに延び、幅方向中間域Ｍの外側で湾曲した部分を介して、周縁１ａに向かって略直線状に延びている。かように、前方傾斜溝の形状の一部を湾曲させることによって、各前方傾斜溝に取り込まれた水分の排出を促進することができる。
なお、図示するとおり、前方傾斜溝６ｄ及び６ｅについても、幅方向中間域Ｍにて法線Ｎ方向に延び、かつ湾曲を介して周縁１ａ側に延びる形状とすることによって、靴底１の路面接地時の動作に従う水分の排出促進に寄与することができる。
【００４１】
また、前方傾斜溝５ａ〜５ｃ及び前方傾斜溝６ａ〜６ｃは、始点側から周縁１ａ側へ溝幅が漸増することが好ましい。なお、本実施形態における漸増とは、一定の溝幅にて延在する部分を含んでいてもよい。図示例では、前方傾斜溝５ａ〜５ｃは、幅方向中間域Ｍにおいては、始点側から周縁１ａ側へ溝幅が漸増し、幅方向中間域域Ｍよりも一方側（装着内側）では、略一定の溝幅で延びる形状である。前方傾斜溝６ａ〜６ｃについても、幅方向中間域Ｍにおいては、始点から周縁１ａ側へ溝幅が漸増し、幅方向中間域Ｍよりも他方側（装着外側）では、略一定の溝幅で延びる形状である。
上記構成によれば、前足部４の幅方向中間域Ｍにおいて各前方傾斜溝に取り込まれた水分が、歩行時の動作に伴って、より広い溝幅側に移動し、水分の排出効果が促進される。
なお、前方傾斜溝６ｄ及び６ｅについては、任意の構成とすることができ、図示例では、前方傾斜溝６ｄは、始点から溝幅が漸増したのち、略一定の溝幅にて延び、前方傾斜溝６ｅについては、始点から終端まで略一定の溝幅で延びている。
また、前方傾斜溝５ａ〜５ｃ及び前方傾斜溝６ａ〜６ｅの溝幅は、上記構成に限られず、一定の溝幅としてもよい。
【００４２】
ここで、前方傾斜溝５ａ〜５ｃは、最も溝幅の狭い部分、即ち最小溝幅ｗ１を１ｍｍとし、最も溝幅の広い最大溝幅ｗ２を、１０ｍｍとする、１ｍｍ〜１０ｍｍの溝幅を有することが好ましく、前方傾斜溝６ａ〜６ｅについても同様の数値範囲を満たす溝幅とすることが好ましい。上記規定によれば、靴底１の剛性低下を抑制しながら、水膜が存在する路面でも十分な排水効果を得て、防滑性を向上させることができる。より好適には、最小溝幅ｗ１を５ｍｍとすることにより、高い排水効果を得ることができる。
【００４３】
また、前方傾斜溝５ａ〜５ｃ及び前方傾斜溝６ａ〜６ｅの深さ方向の断面形状は、矩形や半円等の任意とすることができる。なお、溝の最大深さは０．５ｍｍ以上８ｍｍ以下とすることが好ましい。上記構成によれば、０．５ｍｍ以上とすることによって、耐摩耗性と防滑性との両立が可能となり、８ｍｍ以下とすることによって、装着歩行時にバランスを維持し、歩行の安定性を向上させることができる。
【００４４】
法線Ｎ方向に隣接する、前方傾斜溝５ａ〜５ｃの法線Ｎ方向における相互間隔ｈ１は、長さｌ１の１０％〜４０％とすることが好ましい。１０％以上とすることによって、溝の形成による靴底１の剛性低下を抑制し、４０％以下とすることによって、十分な排水効果を実現し、防滑性を向上させることができる。
【００４５】
同様に、法線Ｎ方向に隣接する、前方傾斜溝６ａ〜６ｅの法線Ｎ方向における相互間隔ｈ２は、長さｌ２の５％〜３０％とすることによって、靴底１の剛性低下の抑制と、防滑性との両立を図ることができる。
【００４６】
また、本実施形態では、前足部４の周縁１ａに沿って延び、かつ線分ｂ１上で連続する周溝７を有し、該周溝７と、前方傾斜溝５ａ〜５ｃ及び前方傾斜溝６ａ〜６ｃとによって陸部８ａが区画されている。前足部４に、最前端ｔから最後端ｈに亘って連続する陸部８ａを有することによって、安定した歩行が可能となる。即ち、路面歩行時においては、靴底１が、最後端ｈ側から最前端ｔ側に向かって路面に接地し、次いで、最後端ｈ側から最前端ｔ側の順に路面から離れる動作が繰り返される。上記動作のうち、特に、前足部４のみが路面と当接しているタイミングにおいて、靴底の前後方向へ連続する平面状の陸部８ａによって路面とのグリップ力が確保され、滑り難く安定した歩行が可能となる。また、前足部４の中央に連続する陸部を有するため、靴底１の剛性低下も抑制され、耐摩耗性も向上する。
なお、図示例では上述のとおり前方傾斜溝５ａ〜５ｃと前方傾斜溝６ａ〜６ｃとの間に陸部８ａが形成されているが、該陸部８ａに前後方向に延びる縦溝を形成し、この縦溝に前方傾斜溝５ａ〜５ｃと、前方傾斜溝６ａ〜６ｃとが、合流するものとすることもできる。このような構成によれば、幅方向中間域Ｍを中心に、路面の水を効果的に各前方傾斜溝内に取り込むことができるとともに、取り込まれた水分が、縦溝を介して、幅方向中間域Ｍの一方側及び他方側のいずれにも流れることができるため、水分の排出が促進される。
【００４７】
さらに、図示例では、前方傾斜溝５ａ〜５ｃ及び前方傾斜溝６ａ〜６ｅは、周溝７に開口しており、該開口部より、各前方傾斜溝に取り込まれた水分の排出が促進される。
なお、靴底１は、周溝７を有しない構成とすることもできるが、このとき、前方傾斜溝５ａ〜５ｃ及び前方傾斜溝６ａ〜６ｃは、周縁１ａにて開口する形状とすることが好ましい。各前方傾斜溝に取り込まれた水分の排出を促進するためである。
【００４８】
また、前足部４は、前方傾斜溝５ａ〜５ｃ及び前方傾斜溝６ａ〜６ｃの少なくとも１本と交差する、細溝を１本以上有することが好ましい。図示例では、細溝９ａ〜９ｄを有している。細溝９ａは、線分ｂ１に沿う周溝７から、前方傾斜溝５ａ〜５ｃと交差して延び、陸部８ａにおいて最前端ｔ側に突出する部分を経て、前方傾斜溝６ａ〜６ｅと交差している。細溝９ｂは、細溝９ａよりも幅方向中間域Ｍ側において、周溝７から、前方傾斜溝５ｂ及び５ｃと交差して延び、前方傾斜溝５ａと連通している。さらに、細溝９ｃは、周溝７から、前方傾斜溝６ｂ〜６ｅと交差して延び、前方傾斜溝６ａと連通している。また、細溝９ｄは、前方傾斜溝５ａ及び６ａを連通している。前足部４が路面に接地した際に、前方傾斜溝５ａ〜５ｃ及び前方傾斜溝６ａ〜６ｅと、細溝９ａ〜９ｄとから形成されるエッジによって路面上の水膜を切ることができ、靴底１と路面との間に存在する水膜でのスリップが防止され、靴底１の剛性低下を抑制しながら、より滑り難い歩行を可能にする。
ここで、細溝９ａ〜９ｄは、０．３ｍｍ〜３ｍｍの溝幅を有する、各前方傾斜溝よりも細い溝を指している。
【００４９】
なお、第１の形態としては、以上の前足部４を有することが肝要であり、後足部２は任意の構造でよい。
【００５０】
［第２の形態］
次に、図２を参照して、本発明の第２の実施形態に係る靴底について説明する。図２は、本発明の第２の実施形態に係る靴底を示す図である。図２において図１と同様の構成要素は、図１と同じ参照符号を付してその説明を省略する。
【００５１】
図２に示すとおり、靴底１は、第１の実施形態と同様に、足裏の踵に対応する後足部２と、足裏の土踏まずに対応する中足部３と、足裏の土踏まずより爪先側の部分に対応する前足部４と、からなる。後足部２は、靴底１の最後端の法線Ｎ方向における、最後端ｈと最前端ｔとの距離を全長Ｌとすると、後足部２は、法線Ｎ方向において、最後端ｈから、長さｌ３の位置にある点ｐ３と、同最後端ｈから、長さｌ４の位置にある点ｐ４とを結ぶ線ｂ２よりも最後端ｈ側の領域である。後足部２を規定する、長さｌ３は、全長Ｌの１０％〜４５％であり、長さｌ４は、全長Ｌの１０％〜４５％とすることが好ましい。なお、線ｂ２は、図２に示すとおり曲線であってもよく、直線であってもよい。
【００５２】
後足部２は、中足部３側に開口し、中足部３側から靴底１の最後端ｈ側へ、後足部２の法線Ｎ方向中間域まで延びる縦溝１０を有する。縦溝１０は、最後端ｈの法線Ｎ上に延びている。この縦溝１０を始点として、中足部３側から最後端ｈ側に傾斜して延びる後方傾斜溝を、縦溝１０を挟む一方側及び他方側に各々少なくとも１本有している。図２の例では、縦溝１０を挟む幅方向一方側（装着内側）に、後方傾斜溝１１ａ〜１１ｃを３本、同他方側（装着外側）に、後方傾斜溝１２ａ〜１２ｃを３本有している。
【００５３】
後方傾斜溝１１ａ〜１１ｃは、後足部２の縦溝１０を始点として、縦溝１０を挟む幅方向一方側（装着内側）に向かって延び、靴底１の周縁１ａにて開口している。さらに、後方傾斜溝１１ａ〜１１ｃは、中足部３側から、最後端ｈ側に傾斜し、法線Ｎに対して鋭角をなしている。該傾斜角度は、各後方傾斜溝１１ａ〜１１ｃの溝幅の中心に沿って延びる軸線の、当該溝幅方向中心点における接線が法線Ｎ方向となす挟角である。例えば、後方傾斜溝１１ａでは、図２に示すとおり、該後方傾斜溝１１ａの軸線ｃ２の、該溝の始点から終端までの幅方向中心点ｍ３における接線ｓ２と、法線Ｎとがなす角度θ２を、３０°〜８０°とすることが好ましい。後方傾斜溝１１ｂ及び１１ｃにおいても、同様に規定する角度を２０°〜７０°とすることが好ましい。
さらに、後方傾斜溝１１ａ〜１１ｃ相互間においては、上記のとおり規定する角度が、後方傾斜溝１１ｃ≦後方傾斜溝１１ｂ≦後方傾斜溝１１ａの関係を満足することが好適である。
【００５４】
さらに、後方傾斜溝１２ａ〜１２ｃは、後足部２の縦溝１０を始点として、縦溝１０を挟む他方側（装着外側）に向かって延び、靴底１の周縁１ａにて開口している。さらに、後方傾斜溝１２ａ〜１２ｃは、中足部３側から最後端ｈ側に傾斜し、法線Ｎ方向に対して鋭角をなしている。該傾斜角度は、各後方傾斜溝１１ａ〜１１ｃと同様の手法にて規定され、各後方傾斜溝１２ａ〜１２ｃの溝幅の中心に沿って延びる軸線の、当該溝幅方向中心点における接線が法線Ｎ方向となる挟角である。後方傾斜溝１２ａ〜１２ｃにおいて、上記規定による角度は、３０°〜８０°とすることが好ましい。
さらに、後方傾斜溝１２ａ〜１２ｃ相互間においては、上記のとおり規定する角度が、後方傾斜溝１２ｃ≦後方傾斜溝１２ｂ≦後方傾斜溝１２ａの関係を満足することが好適である。
【００５５】
上記構成の靴底１によれば、優れた防滑性及び耐摩耗性を実現することができる。即ち、後足部２と路面の間に存在する水分は、後方傾斜溝１１ａ〜１１ｃ及び後方傾斜溝１２ａ〜１２ｃ内に取り込まれ、歩行時の動作に従い、溝の傾斜形状に沿って縦溝１０に集束し、中足部３に臨む縦溝１０の開口から排出される。よって、水分により靴が滑るのを防止することができる。なお、後方傾斜溝１１ａ〜１１ｃ及び後方傾斜溝１２ａ〜１２ｃ内に取り込まれた水分の一部は、各溝の開口からも排出される。
【００５６】
さらに、本実施形態では、後方傾斜溝１１ａ〜１１ｃ及び後方傾斜溝１２ａ〜１２ｃは、湾曲しながら延びて、周縁１ａにおいて、略法線方向へ開口している。このような構成によれば、図に示すとおり、各後方傾斜溝の開口部において、当該溝を挟む陸部の角が鋭角から直角に近づくため、歩行時の入力による陸部の角での摩耗を抑制することができる。  
【００５７】
また、後足部２は、最後端ｈを中心とする周縁１ａと、後方傾斜溝１１ｃ及び１２ｃとによって区画される、後方に向かって広がる扇形の陸部１３を有し、この陸部１３によって、安定した歩行が可能となる。即ち、上述のとおり、路面歩行時においては、靴底１が、最後端ｈ側から最前端ｔ側に向かって路面に接地し、次いで、最後端ｈ側から最前端ｔ側の順に路面から離れる動作が繰り返される。特に、後足部２のみが路面と当接しているタイミングにおいて、後方に向かって広がる扇形の陸部１３によって路面とのグリップ力が確保され、滑り難く安定した歩行が可能となる。また、靴底１の剛性低下も抑制されることから、耐摩耗性も向上する。
【００５８】
なお、後足部２は、本実施形態では、靴底１の前足部４の表面から隆起する凸部、所謂ヒールであるが、前足部４の表面と同じ高さとすることもできる。
後足部２が、前足部４の表面と同じ高さである場合、後足部２と中足部３との間の線ｂ２は、表面から凹となる溝であることが好ましい。このような溝形状とすることにより、縦溝１０が溝に開口する形状となり、後方傾斜溝１１ａ〜１１ｃ及び後方傾斜溝１２ａ〜１２ｃに取り込まれた水分を、縦溝１０の開口部から排出することができ、排水性が向上し、高い防滑性を得ることができる。
また、後足部２が隆起する凸部である場合、線ｂ２側において、垂直に隆起していてもよく、テーパ状の壁面を介して隆起していてもよい。
【００５９】
また、後方傾斜溝１１ａ〜１１ｃ及び後方傾斜溝１２ａ〜１２ｃは、直線状又は曲線状等の任意の形状とすることができるが、溝の始点側に向かって、法線Ｎ方向に収束するように湾曲して延びることが好ましい。図示例では、後方傾斜溝１１ａ〜１１ｃ及び後方傾斜溝１２ａ〜１２ｃは、開口部から、法線Ｎ方向に収束するように、溝の始点側に向かって湾曲して延びている。かように、後方傾斜溝を湾曲させることによって、各後方傾斜溝の取り込まれた水分の排出を促進することができる。
【００６０】
また、後方傾斜溝１１ａ〜１１ｃ及び後方傾斜溝１２ａ〜１２ｃは、始点側から周縁１ａ側へ溝幅が漸増することが好ましい。なお、本実施形態における漸増とは、一定の溝幅にて延在する部分を含んでいてもよい。図示例では、後方傾斜溝１１ａ〜１１ｃは、溝の始点側から周縁１ａ側へ溝幅が漸増する形状である。後方傾斜溝１２ａ〜１２ｃについても、溝の始点側から周縁１ａ側へ溝幅が漸増する形状である。
上記構成によれば、後足部２の始点側において各後方傾斜溝に取り込まれた水分の一部が、歩行時の動作に伴って、より広い溝幅側に移動し、水分の排出効果が促進される。
また、後方傾斜溝１１ａ〜１１ｃ及び後方傾斜溝１２ａ〜１２ｃの溝幅は、上記構成に限られず、一定の溝幅としてもよい。
【００６１】
ここで、後方傾斜溝１１ａ〜１１ｃは、最も溝幅の狭い部分、即ち最小溝幅ｗ３を１ｍｍとし、最も溝幅の広い最大溝幅ｗ４を、１０ｍｍとする、１ｍｍ〜１０ｍｍの溝幅を有することが好ましく、後方傾斜溝１２ａ〜１２ｃについても同様の数値範囲を満たす溝幅とすることが好ましい。上記規定によれば、靴底１の剛性低下を抑制しながら、水膜が存在する路面でも十分な排水効果を得て、防滑性を向上させることができる。より好適には、最小溝幅ｗ３を５ｍｍとすることにより、高い排水効果を得ることができる。  
【００６２】
また、後方傾斜溝１１ａ〜１１ｃ及び後方傾斜溝１２ａ〜１２ｃの深さ方向の断面形状は、矩形や半円等の任意とすることができる。なお、溝の最大深さは０．５ｍｍ以上８ｍｍ以下とすることが好ましい。上記構成によれば、０．５ｍｍ以上とすることによって、耐摩耗性と防滑性との両立が可能となり、８ｍｍ以下とすることによって、装着歩行時にバランスを維持し、歩行の安定性を向上させることができる。
【００６３】
法線Ｎ方向に隣接する、後方傾斜溝１１ａ〜１１ｃの法線Ｎ方向における相互間隔ｈ３は、長さｌ３の１０％〜４０％とすることが好ましい。１０％以上とすることによって、溝の形成による靴底１の剛性低下を抑制し、４０％以下とすることによって、十分な排水効果を実現し、防滑性を向上させることができる。
【００６４】
同様に、法線Ｎ方向に隣接する、後方傾斜溝１２ａ〜１２ｃの法線Ｎ方向における相互間隔ｈ４は、長さｌ４の１０％〜４０％とすることによって、靴底１の剛性低下の抑制と、防滑性との両立を図ることができる。
【００６５】
また、後足部２は、後方傾斜溝１１ａ〜１１ｃ及び後方傾斜溝１２ａ〜１２ｃの少なくとも１本と交差する、細溝を１本以上有することが好ましい。図示例では、細溝１４ａ〜１４ｄを有している。細溝１４ａは、踵の最後端ｈの近傍から、後方傾斜溝１１ａ〜１１ｃをと交差して延び、周縁１ａにて開口している。細溝１４ｂは、後方傾斜溝１１ｃを始点として、後方傾斜溝１１ｂ及び１１ａと交差して、線ｂ２にて終端している。また、細溝１４ｃは、踵の最後端ｈの近傍から、後方傾斜溝１２ｂ及び１２ｃと交差して、後方傾斜溝１２ａに開口している。さらに、細溝１４ｄは、後方傾斜溝１２ｃを始点として、後方傾斜溝１２ｂ及び１２ａと交差して、線ｂ２にて終端している。上記細溝１４ａ〜１４ｄによれば、後足部２が路面に接地した際に、後方傾斜溝１１ａ〜１１ｃ及び後方傾斜溝１２ａ〜１２ｃと、細溝１４ａ〜１４ｄとから形成されるエッジによって路面上の水膜を切ることができ、靴底１と路面との間に存在する水膜でのスリップが防止され、靴底１の剛性低下を抑制しながら、より滑り難い歩行を可能にする。
なお、細溝１４ａ〜１４ｄは、０．３ｍｍ〜３ｍｍの溝幅を有する、各後方傾斜溝よりも細い溝を指している。
【００６６】
[第３の形態]
次に、図３は、本発明の第３の実施形態に係る靴底を示している。図３に示す靴底１では、前足部４は、第１の実施形態と同じ構成であり、後足部２は、第２の実施形態と同じ構成になる。各構成については、図１及び図２と同じ符号を付して説明を省略する。従って、第３の実施形態では、上述した前足部４及び後足部２が奏する効果を共に享受することができる。
【００６７】
[ゴム組成物]
なお、上記第１の形態〜第３の形態において、靴底１は、１種以上のゴム成分を含むゴム組成物から形成することが好ましい。特に、ゴム組成物として、ブタジエンゴム（ＢＲ）、スチレンブタジエンゴム（ＳＢＲ）及びポリイソプレンゴム（ＩＲ）の３種のジエン系ゴム成分と、シリカとを含有し、シリカはゴム成分の１００質量部に対して５０質量部以上含まれることが好ましい。
【００６８】
また、靴底１に適用されるゴム組成物には、上記のゴム成分及びシリカの他、加硫促進剤、老化防止剤、ステアリン酸、シランカップリング剤等のゴム業界で通常使用される配合剤を、本発明の目的を害しない範囲で適宜選択し配合することができる。これら配合剤は、市販品を好適に使用することができる。なお、上記ゴム組成物は、上記ゴム成分に、必要に応じて適宜選択した各種配合剤を配合して、混練り、熱入れ、押出等することにより製造することができる。
【００６９】
靴底１は、前足部４、中足部３及び後足部２を、全て同じゴム組成物によって形成しても、異なるゴム組成物から形成してもよい。例えば、前足部４及び中足部３と後足部２とのゴム組成物を異なるゴム組成物とする。
【実施例１】
【００７０】
以下、本発明の実施例について説明するが、本発明はこれだけに限定されるものではない。
図３に示すパターンを有する靴底（発明例）と、図４に示すパターンとを有する靴底（比較例）とについて、防滑性及び耐摩耗性を評価した。
＜防滑性＞
ＩＳＯ１３２８７による試験方法に準拠して、上記靴底を適用した靴の防滑性を評価した。同国際規格に準拠した人工足を用い、床面はステンレスとした。乾燥路面と湿潤路面の両方について評価を行い、湿潤路面にはイオン交換水を用いた。なお、鉛直力は５００Ｎである。ここで、表１に示す指数値は、乾燥路面及び湿潤路面の比較例のそれぞれの評価を１００としたものであり、数値が大きいほど防滑性に優れることを表す。
＜耐摩耗性＞
ＪＩＳ  Ｋ６２６４―２  Ｂ法によって、ウイリアムス摩耗試験機を用い、耐摩耗性を測定した。表１では、測定結果が２５０ｃｍ３／ｋｗ／ｈ以下のものを○とする。
【００７１】
【表１】
2019025076.tif 000003
【実施例２】
【００７２】
次に、上記した発明例の靴底と構成を同じくし、材質のみを表２に示す種々の配合のゴム組成物から作製して変化させた。かくして得られた供試靴底１〜７について、下記で示す方法に従って、ゴム欠けの発生及び耐摩耗性を評価した。
＜ゴム欠けの発生＞
靴底のゴムを金型から取り外す際に生じた、ゴム欠けの発生を目視により評価した。ゴム欠けが発生していない場合を「無し」とし、発生した場合を「有り」で表記した。なお、ゴム欠けが発生した靴底のゴムについては、製品不良として出荷することができない。
＜耐摩耗試験＞
各供試靴底１〜７について、ＪＩＳ  Ｋ６２６４−２  Ｂ法に準拠して、耐摩耗性を測定した。結果を表２に示す。結果は、供試靴底２の数値を１００として指数表示した。指数値が大きい程、耐摩耗性が高いことを示す。
【００７３】
【表２】
2019025076.tif 000004
【符号の説明】
【００７４】
１：靴底、  １ａ：周縁、  ２：後足部、  ３：中足部、  ４：前足部、  ５ａ〜５ｃ、６ａ〜６ｅ：前方傾斜溝、  ７：周溝、  ８：陸部、  ８ａ：陸部、  ９ａ〜９ｄ：細溝、  １０：縦溝、  １１ａ〜１１ｃ、１２ａ〜１２ｃ：後方傾斜溝、  １３：陸部、  １４ａ〜１４ｄ：細溝、  ｔ：最前端、  ｈ：最後端
【図１】
2019025076.tif 000005
【図２】
2019025076.tif 000006
【図３】
2019025076.tif 000007
【図４】
2019025076.tif 000008